(57)【要約】【課題】バーストカットエリア（ＢＣＡ）が記録した情報記録層を有する多層の情報記録層の光ディスク媒体において、ＢＣＡ信号を安定に再生すること。【解決手段】多層の情報記録領域の内周側で且つ所定の同一半径範囲を有する領域をバーストカットエリア用の領域とし、バーストカットエリア（ＢＣＡ）１０１を１つの情報記録層１２に記録し、他の情報記録層１１の同じ半径範囲はすべてミラー面５とすることで、他層からの干渉や読み出し光の散乱がなく、バーストカットエリア（ＢＣＡ）１０１の再生を安定して実現できるようにした。【選択図】  図１
2006338718.tif 000002
【特許請求の範囲】
【請求項１】
同一入射面からアクセスする情報記録層を複数層有し、各層には所定の情報記録領域が設けられてなる光ディスク媒体において、
前記各層の情報記録領域の内周側で且つ所定の同一半径範囲を有する領域をバーストカットエリア用の領域とすると共に、前記複数の情報記録層の内の何れか一つの情報記録層におけるバーストカットエリア用の領域にバーストカットエリアを設け、残りの情報記録層におけるバーストカットエリア用の領域をミラー面としたことを特徴とする光ディスク媒体。
【請求項２】
前記バーストカットエリアは、その外周側にある情報記録領域とは所定の間隔を隔てて設定されることを特徴とした請求項１記載の光ディスク媒体。
【請求項３】
前記複数の情報記録層の内の前記同一入射面から最も遠い情報記録層に、前記バーストカットエリアを設けたことを特徴とする請求項１又は２に記載の光ディスク媒体。
【請求項４】
前記バーストカットエリアが付されたバーストカットエリア用の領域では、前記バーストカットエリアが付された箇所以外の箇所を全てミラー面としたことを特徴とする請求項１，２又は３に記載の光ディスク媒体。
【請求項５】
前記バーストカットエリアの構成要素である複数の低反射率の線分によって刻み込まれる情報は、各低反射率の線分相互間の間隔を変化させることにより設定したことを特徴とする請求項１乃至４の何れか一つに記載の光ディスク媒体。
【請求項６】
前記バーストカットエリアの構成要素である複数の低反射率の線分の長さは、前記各情報記録層のトラックの偏心量を許容し得る長さに設定されていることを特徴とした請求項１乃至５の何れか一つに記載の光ディスク媒体。
【請求項７】
前記各情報記録層の層間隔を３０〔μｍ〕以下としたことを特徴とする請求項１乃至６の何れか一つに記載の光ディスク媒体。
【請求項８】
前記請求項１又は７のいずれか一つに記載の光ディスク媒体を装備した場合に当該光ディスク媒体から所定のデータを読み出す光ヘッドと、この光ヘッドの動作を制御する主制御部とを備え、前記光ヘッドからの情報を再生し出力するように構成された光ディスク装置において、
前記主制御部が、前記光ディスク媒体のバーストカットエリアの半径領域にフォーカス投入を行った場合または情報記録層の他の領域にフォーカス投入後にバーストカットエリアに移動した場合に作動しフォーカス投入後の情報記録層がミラー面であることを検出するミラー面検出機能と、その検出結果がミラー面でない場合に作動し他の情報記録層への層間ジャンプ動作を付勢する層間ジャンプ制御機能とを備えていることを特徴とした光ディスク装置。
【請求項９】
前記請求項１又は７のいずれか一つに記載の光ディスク媒体を装備した場合に当該光ディスク媒体から所定のデータを読み出す光ヘッドと、この光ヘッドから出力されるデータを再生し出力するデータ再生回路と、このデータ再生回路を駆動制御する主制御部とを備えた光ディスク装置において、
前記光ヘッドに、当該光ヘッドの集光スポットを前記光ディスク媒体のいずれか一つの情報記録層から他の情報記録層にジャンプ移動させる層間ジャンプ駆動回路を併設し、
前記主制御部が、前記データ再生回路に入力される反射光データに基づいて作動し前記光ヘッドがバーストカットエリアを備えた情報記録層を選択しているか否かを判定する記録層判定機能を備えると共に、この記録層判定機能による否判定に基づいて作動し前記層間ジャンプ駆動回路を介して前記光ヘッドを他の記録層へジャンプさせる層間ジャンプ制御機能を備えたことを特徴とする光ディスク装置。
【請求項１０】
前記主制御部の記録層判定機能を、前記光ヘッドが外部指令に応じてバーストカットエリアの半径領域にフォーカス投入を行った場合または情報記録層の他の領域にフォーカス投入後にバーストカットエリアに移動した場合に作動し前記光ヘッドの検出データがミラー面からの反射データか否かを判定するミラー面検出機能としたことを特徴とする請求項９に記載の光ディスク装置。
【発明の詳細な説明】
【技術分野】
【０００１】
本発明は、光ディスク媒体および光ディスク装置に係り、特に光ディスク媒体の識別情報等にかかるバーストカットエリア（ＢＣＡ）の配置やその検出再生技術等を備えた光ディスク媒体および光ディスク装置に関する。
【背景技術】
【０００２】
微小な集光スポットにより情報の記録再生を行う光ディスク分野においては、予めエンボス状のピット列が形成された再生専用のＲＯＭ（Ｒead Ｏnly Ｍemory ）媒体に続いて、一度だけデータの記録ができる光ディスクとしてのＣＤ−Ｒ（Ｃompact  Ｄisc-Ｒecordable ）やＤＶＤ−Ｒ（Ｄigital  Ｖersatile  Ｄisc-Ｒecordable ）が、広く普及している（下記特許文献参照）。
【０００３】
更に、近時にあっては書き換え可能なＤＶＤ−ＲＡＭ（Ｄigital  Ｖersatile  Ｄisc-Ｒewritable ）のような光ディスクも利用されるようになった。これらの光ディスクは、透明基板を介して情報記録層に集光スポットを形成して情報の記録または再生を行う構成となっている。情報記録層には、スパイラル状の記録トラックに沿ってピット列やグルーブが形成されている。
【０００４】
又、このような光ディスクにおいては、スパイラル状の記録トラック以外に、光ディスク装置の集光スポットによって再生可能な情報として、バーストカットエリア（ＢＣＡ）と呼ばれる領域が形成される場合がある。バーストカットエリア（ＢＣＡ）は、円周上に所定間隔を隔てて配置され半径方向に伸びた線分を低反射率の形態にて形成し、記録する情報の内容によってパターンを決めたもので、いわば一般に使われるバーコードを円周状に配設したような構造を有している。
【０００５】
図５（Ａ）は、バーストカットエリア（ＢＣＡ）１０１の一部分を拡大したもので、光ディスク１００上の定められた半径位置範囲で同一円周上に低反射率の線分１０１ａが複数本並べられ、半径方向に均一長さで同一円周上にて所定のパターンを形成している。このＢＣＡ１００が付された領域には集光スポットＫが追従するべきトラックが無いので、光ディスク装置はフォーカスサーボのみをかけた状態で、ディスク１００の回転に沿って矢印Ｓのように集光スポットｅがＢＣＡ１０１上を円周方向に走査する形となる。この時、図５（Ａ）の下段部分に描かれたような反射光量の変動に対応する信号Ｅが得られ、この信号Ｅに基づいて、前述したディスク媒体１００に記録されたＢＣＡ１０１に係る情報が、再生されるようになっている。
【０００６】
このようなＢＣＡ１０１の例は、ＥＣＭＡ（欧州電子計算機工業界）の標準化資料（ＥＣＭＡ−２６７；１２０ｍｍ  ＤＶＤ−Ｒead-Ｏnly Ｄisc ）に、記載されている。
【０００７】
ピットによる情報記録の場合と比較してみると、ＢＣＡによる情報記録の利点は、光ディスクの製造後に光ディスク一枚ごとに個別に形成できることである。例えば、著作権管理のための通し番号を光ディスクに付すことができる。この場合、ＢＣＡの形成手段としては、例えば再生専用のＲＯＭの光ディスクでは、情報記録層に形成された金属反射膜を強力なレーザ照射によって除去し、これによって低反射率部分を作成することができる。  ただし、このような手法（光ディスクの製造後に形成する手法）は、ピットにくらべて形成可能なパターンの間隔はかなり大きなものとなる。例えば、低反射率部分１０１ａの幅は１０〔μm 〕程度が現実的な値であり、最も幅のあるパターン間隔は１００〔μm 〕以上が利用されている。
【０００８】
【特許文献１】国際公表特許Ｗ０２００２／０３７４８３
【発明の開示】
【発明が解決しようとする課題】
【０００９】
ところで、最近の光ディスクでは、１つの入射面から記録再生できる情報記録層を二層，三層・・・と、複数備えたものが広く実用化されている。図５（Ｂ）に、２つの情報記録層を持つ光ディスクの断面の例を示す。この図５（Ｂ）に示す光ディスク１００には、光入射面１０４からの集光ビームによって再生される二つの情報記録層１２０、即ち第０情報記録層１２１と第１情報記録層１２２とが形成されている。
【００１０】
この各情報記録層１２１，１２２の間隔は、光ディスク１００の素材である透明基板を透過する集光ビームの収差が大きく変化しない範囲が望ましいので、例えばＤＶＤ−ＲＯＭにおいては、５０〔μｍ〕前後に設定されている。この時、例えば第１情報記録層１２２に集光スポットを形成したときの第０情報記録層１２１における集光ビームの直径は約４０〔μｍ〕となる。これは、先に述べたＢＣＡ１０１のパターンと同一オーダーの大きさとなっている。
【００１１】
従って、両方の情報記録層１２１，１２２にＢＣＡを形成すると、一方の情報記録層に集光スポットを形成した時、他方の情報記録層のＢＣＡのパターンによる集光ビームの変動が無視出来ないレベルになってしまう。これを避ける為には、ＢＣＡはどちらか一方の層のみに形成する必要がある。
【００１２】
しかしながら、一方の層にのみにＢＣＡを形成する場合には、次のような問題が発生する。例えばＤＶＤ−ＲＯＭでは、図５（Ｂ）に示すように、情報記録層の情報記録領域は、通常はピット記録面１０６となっており、ＢＣＡ１０１の記録に際しては、第１情報記録層１２２の情報記録領域の最内周端の前後の半径領域に当該ＢＣＡ１０１を記録するようになっている。この場合、ＢＣＡが位置する半径領域側での第０情報記録層１２１は、ピット記録面１０６および何も形成されていないミラー面１０５の両方が混在する。
【００１３】
このようなピット記録面１０６とミラー面１０５とでは、反射光量も透過光量も相互にかなり異なる。このため、例えば、図５（Ｂ）の実線で示すように２種類の面（ピット記録面１０６とミラー面１０５）の境界線位置に集光ビームＢが来た場合、集光ビーム内の不均一性により、再生信号が劣化する可能性がある。
【００１４】
また、図６に示すように、第０情報記録層１２１と第１情報記録層１２２の各層の中心点がずれた偏心状態で光ディスク１００が製造された場合、第１情報記録層１２２のＢＣＡ１０１に重なる半径位置にある境界線位置１０８に対して集光スポット走査位置１０９が周回において出入りするような位置関係となり、境界線位置１０８の内周側と外周側の面状況の違いにより、再生信号が劣化する可能性がある。
【００１５】
このような問題点を避けるため、前述した第０情報記録層のピット記録面１０６をＢＣＡ１０１の形成された内周半径まで拡大して形成することが考えられる。しかしながら、かかる状況下にあっては、前述した図述した５（Ｂ）の破線で示すように隣接層からの反射光Ｈ（クロストーク）の発生が問題となり、その大きさを抑制する必要性が生じる。
【００１６】
図４に、前述した従来例における隣接層からの反射光Ｈ（クロストーク）の発生に関し、これを分析した実験結果を示す。この実験結果は、反射光Ｈ（クロストーク）の層間隔依存性をチェックしたもので、集光ビームのＮＡを「０．６５」とし、等価受光面積が１００〔μｍ２〕の場合の隣接層からの反射光（クロストーク）の割合の層間隔依存性を求めたものである。光ディスク装置内では信号を再生する光ヘッドは集光スポットからの反射光を拡大結像して光検出器で受光するが、拡大率をＭ，光検出器の受光面積をＡとしたとき、集光スポットでの受光面積の換算した「Ａ／Ｍ２」が等価受光面積である。ここで、等価受光面積が１００〔μｍ２〕の場合は光ヘッドの一般的な値であるが、面積が増えると更にストロークは増える。
【００１７】
今、この図４から明らかなことは、隣接層からのクロストークを信号の発生に対して無視できる５％程度に設定すると、前述した図５（Ｂ）中の破線（クロストーク）が５％以内であれば、許容クロストーク量となる。隣接層間隔が３０〔μｍ〕以下となると、許容クロストーク量を上回ることが分かる。例えば、ＤＶＤ−ＲＯＭでは隣接層間隔は４０〔μｍ〕以上に設定されているので、問題はない。しかしながら、光源波長をＤＶＤ−ＲＯＭの赤色帯域（約６５０〔ｎｍ〕）から更に短い青色帯域（約４００〔ｎｍ〕）とすると、透明基板を通過するときの集光ビームの許容収差が小さくなるので、層間隔を３０〔μｍ〕以上に設定する必要性が生じる。このような小さな層間隔ではクロストークが無視できないので、隣接層にピットやグループなどの構造が形成されていると、再生時には雑音として乗りやすい。このため、通常のピット記録面では、この雑音量を考慮して記録信号に十分な量のエラー補正コード付加することができないという不都合が生じる。
【００１８】
本発明は、上記従来例の有する不都合を改善し、特に他の層の干渉（特にクロストーク）や読み出し光の散乱等を有効に排除してバーストカットエリア（ＢＣＡ）の再生を有効に成し得ると共に、これによって光ディスク媒体に基づいた情報管理を効率よく成し得る光ディスク媒体および光ディスク装置を提供することを、その目的とする。
【課題を解決するための手段】
【００１９】
上記目的を達成するため、本発明にかかるディスク媒体では、同一光入射面からアクセスする情報記録層を複数層有し、各層には所定の情報記録領域を備えた光ディスク媒体において、各層の情報記録領域の内周側で且つ所定の同一半径範囲を有する領域をバーストカットエリア用の領域とすると共に、複数の情報記録層の内の何れか一つの情報記録層におけるバーストカットエリア用の領域にバーストカットエリア（ＢＣＡ）を設け（最内周端近傍に設定してもよい）、残りの情報記録層におけるバーストカットエリア用の領域をミラー面とした（請求項１）。
【００２０】
このようにすると、トラックサーボに依存することなく位置の特定を迅速に且つ高精度に実行することができ、更に、ミラー面の領域ではここを透過し又は一部反射する集光ビームには何らの変動が発生しないため、残りの（他の）情報記録層の干渉を受けることが無くなり、これがため、バーストカットエリア（ＢＣＡ）の信号を常に安定した状態で再生することができる。
【００２１】
ここで、前述したバーストカットエリア（ＢＣＡ）は、その外周側にある情報記録領域に対して所定の間隔を隔てて設定してもよい（請求項２）。このようにすると、情報記録層の干渉を受けることが少なくなり、特に、複数層を備えたディスク媒体では各層の偏心があっても、その影響を回避することが可能であり、その分、バーストカットエリア（ＢＣＡ）の信号を安定した状態で再生することができる。
【００２２】
このバーストカットエリア（ＢＣＡ）については、前述した複数の情報記録層の内の前述した同一入射面から最も遠い情報記録層に設けてもよい（請求項３）。このようにしても前述した場合と同様に安定した状態でＢＣＡ信号の再生が可能となり、更に、各情報記録層の情報再生が円滑になされるという利点がある。
【００２３】
又、前述したバーストカットエリアが付されたバーストカットエリア用の領域では、前記バーストカットエリアが付された箇所以外の箇所を全てミラー面としてもよい（請求項４）。このようにしても前述した場合と同様に安定した状態でＢＣＡ信号の再生が可能となる。
【００２４】
ここで、バーストカットエリアの構成要素である複数の低反射率の線分によって刻み込まれる情報は、各低反射率の線分相互間の間隔を変化させることにより設定したものであってもよい（請求項５）。
【００２５】
又、前述したバーストカットエリア（ＢＣＡ）の構成要素である複数の低反射率の線分の長さは、トラックの偏心量を許容し得る長さに設定してもよい（請求項６）。このようにすると、バーストカットエリア（ＢＣＡ）が偏心して付されても、トラックサーボに依存することなく安定した状態でＢＣＡ信号の再生が可能となり、ひいてはディスク媒体の信頼性も高めることができる。ここで、前述した各本発明にかかる光ディスク媒体の各情報記録層の層間隔については、３０〔μｍ〕以下としてもよい（請求項７）。このようにしても、ミラー面が有効に機能して上述した各発明が有する作用効果を更により確実に実行し得る光ディスク媒体を得ることができる。
【００２６】
更に、本発明にかかる光ディスク装置では、前述した光ディスク媒体を装備して当該光ディスク媒体から所定のデータを読み出す光ヘッドと、この光ヘッドの動作を制御する主制御部とを備え、前記光ヘッドからの情報を再生し出力するように構成された光ディスク装置において、主制御部が、光ディスク媒体のバーストカットエリアの半径領域にフォーカス投入を行った場合に作動しフォーカス投入後の情報記録層がミラー面であることを検出するミラー面検出機能と、その検出結果がミラー面でない場合に作動し他の情報記録層への層間ジャンプ動作を付勢する層間ジャンプ制御機能とを備えた構成とした（請求項８）。
【００２７】
ここで、この光ディスク装置については以下の如く具体化してもよい。即ち、本発明にかかる光ディスク装置は、前述した光ディスク媒体を装備して当該光ディスク媒体から所定のデータを読み出す光ヘッドと、この光ヘッドから出力されるデータを再生し出力するデータ再生回路と、このデータ再生回路を駆動制御する主制御部とを備えている。前述した光ヘッドには、当該光ヘッドの集光スポットを光ディスク媒体のいずれかの情報記録層から他の記録層にジャンプ移動させる層間ジャンプ駆動回路を併設する。又、前述した主制御部は、データ再生回路に入力される反射光データに基づいて作動し光ヘッドがバーストカットエリアを備えた情報記録層を選択しているか否かを判定する記録層判定機能を備え、更に、この記録層判定機能による否判定に基づいて作動し前記層間ジャンプ駆動回路を介して光ヘッドを他の記録層へジャンプさせる層間ジャンプ制御機能を備えた構成とした。ここで、主制御部の記録層判定機能を、前述した光ヘッドが外部指令に応じてバーストカットエリアの半径領域にフォーカル投入を行った場合に作動し当該光ヘッドの検出データがミラー面からの反射データか否かを判定するミラー面検出機能としてもよい（請求項９〜１０）。
【００２８】
このようにすると、ミラー面からの反射情報によって判定信号を確実に得ることができ、これを利用してバーストカットエリア（ＢＣＡ）の再生動作を円滑に且つ確実に実行することが可能となる。
【発明の効果】
【００２９】
本発明は、上述したように構成され機能するので、これによると、他の記録層の干渉や読み出し光の散乱等を有効に排除してバーストカットエリア（ＢＣＡ）および記録された情報を安定して効率良く再生し得ると共に、これにより、複数の光ディスク媒体の識別等を含めて当該光ディスク媒体に基づいた情報管理を効率よく成し得るという従来にない優れた光ディスク媒体および光ディスク装置を提供することができる。
【発明を実施するための最良の形態】
【００３０】
以下、本発明の最良の実施形態を、添付図面を参照して説明する。ここで、前述した従来例と同一の構成要素については同一の符号を使用するものとする。
【００３１】
図１乃至図３において、光ディスク媒体１は、同一光入射面１Ａからアクセスする情報記録層１０を複数層（本実施形態では二層）を有している。具体的には、光入射面１Ａの側から順に第０情報記録層１１，第１情報記録層１２の二層を備えている。各情報記録層１１，１２には所定の情報記録領域２０が設けられている。ここで、前述した各層の情報記録領域２０の内周側で且つ所定の同一半径範囲を有する領域をバーストカットエリア用の領域Ｒとする。そして、前述した複数の情報記録層１１，１２の内の何れか一つの情報記録層（例えば、第１情報記録層１２）におけるバーストカットエリア用の領域Ｒ（最内周端近傍に設定され）にバーストカットエリア（ＢＣＡ）１０１が設けられ、残りの情報記録層（第０情報記録層１１）におけるバーストカットエリア用の領域Ｒはミラー面５によって構成されている。これを更に詳細に説明する。
【００３２】
まず、光ディスク媒体１に対するバーストカットエリア（ＢＣＡ）１０１の配置例を図１に示す。このＢＣＡ１０１は、本実施形態では情報記録領域２０の内側に形成されている。符号２は、情報記録領域２０に記録される記録トラックを示す。本実施形態におけるＢＣＡ１０１は、記録トラック２の内周側に形成されている。
【００３３】
ここで、光ディスク媒体１にあっては、バーストカットエリア（ＢＣＡ）にはトラックが無くトラックサーボをかけることが出来ない。このため、記録トラック２の途中の半径位置にバーストカットエリア（ＢＣＡ）が形成されていると、その前後のトラック間でのアクセス動作が難しくなる。本実施形態では、かかる不都合を予め改善したものとなっている。
【００３４】
このＢＣＡ１０１は、同一円周上のすべてに形成されていても良いし、図１（Ａ）のように円周の一部分にのみ形成されていても良い。また、ＢＣＡ１０１が付された半径領域（バーストカットエリア用の領域Ｒ）ではトラックサーボがかけられないので、ＢＣＡ１０１の半径方向の幅（ＢＣＡを構成する低反射率の各線分１０１ａの長さＬ）は、記録トラック２の偏心量にくらべて十分大きな幅を持つように設定されている。
【００３５】
図１（Ｂ）に、形成されるＢＣＡパターンの構成例を示す。このＢＣＡパターンは前述した従来例におけるＢＣＡパターンと同一の手法で形成されている。このＢＣＡパターンでは、ほぼ一定の幅を持つ低反射率の線分１０１ａの相互の間隔を変化させることで、情報信号を記録している。この方法は、レーザ照射によって低反射率の線分１０１ａを形成する場合は、照射の位置を変えて同じ低反射率の線分１０１ａを形成すれば良いことから、製造が容易となる。この場合、低反射率部分と高反射率部分の幅を任意に変えて情報を記録するようにしてもよい。
【００３６】
図２に、上記光ディスク媒体１の断面図の一部を示す。この図２に示すように、光ディスク媒体１は透明部材を素材として形成されており、その光入射面１Ａからアクセス可能な、二層の情報記録層（第０情報記録層１１と第１情報記録層１２）が組み込まれており、それぞれほぼ同じ内周半径までピット記録面６が設けられている。ＢＣＡ１０１は、第１情報記録層１２の情報記録領域２０の最内周端近傍に、配設されている。一方、同じ半径位置の領域は第０情報記録層１１ではミラー面５となっている。ここで情報記録領域２０は、光ディスク装置が再生するべき情報が存在する範囲を示すものである。
【００３７】
このように１つの情報記録層１２にのみＢＣＡ１０１を形成し、他方の情報記録層１１をピットも何も無いミラー面とすることで、ミラー面５を透過や反射する集光ビームにはなんら変動が発生しないため、特に、隣接層間隔が３０〔μｍ〕以下であっても、他方の層の干渉を受けることなく、ＢＣＡ１０１の信号を安定して再生することが可能となる。また、第０情報記録層１１に全面ピット記録面とした場合と比べても、第１情報記録層１２への集光ビームが第０情報記録層１１のピットによって散乱損失を受けることが無く、これがため、ＢＣＡ１０１からはより多くの信号光量を得ることができ、安定したＢＣＡ検出ができる。
【００３８】
さらに、ＢＣＡ１０１領域にフォーカス投入を行って、ＢＣＡ１０１から情報の再生を行う場合、隣接層間隔が狭いために誤ってＢＣＡ１０１の無い他の層のミラー面５にフォーカス引き込みが行われる可能性が高まるが、かかる場合でも、再生信号から容易に誤った情報記録層１１への引き込みであることを判別できる利点がある。
【００３９】
光ディスクの製造上、第０情報記録層１１と第１情報記録層１２を張り合わせで形成する場合、２つの層の偏心量の違いによって、円周方向の位置によってピット記録面とＢＣＡ領域に重なりが生じる場合も想定される。この場合は、偏心量に比べて十分に広い半径幅のＢＣＡ領域（ＢＣＡの低反射率の線分１０１ａの長さを偏心量に比べて十分に長く設定する）としておけば、ピット記録面６の影響を受けることなく、ＢＣＡ１０１にかかる信号を効率よく再生することが出来る。
【００４０】
更に、図２に示すように、ＢＣＡ１０１の外周側の領域にあるピット記録面６との間の半径領域にも、全ての情報記録層でミラー面５が形成されるように構成したので、製造時の二層間の偏心による第０情報記録層１１のピット記録面６の重なりが確実に回避されるので、再生の安定性を更に高めることができる。
【００４１】
尚、図２の例では、第１情報記録層１２にＢＣＡ１０１を形成したが、第０情報記録層１１に形成し、第１情報記録層１２をミラー面としてもよい。しかしながら、第１情報記録層１２にＢＣＡ１０１を形成する図２の例にあっては、以下の利点が得られる。即ち、第０情報記録層１１は光にとって半透過特性を持つ記録層であるが、第１情報記録層１２は反射特性のみを持つ記録層とすることが出来るので、レーザ照射で記録層を変質させてＢＣＡ１０１を形成する場合に、第１情報記録層１２の方が光吸収が大きく、必要なレーザ照射パワーが低くてすむことから加工し易いという利点がある。
【００４２】
上述したＢＣＡ１０１の形成は、ＲＯＭのようなピット記録媒体ばかりでなく、ピットの代わりにグルーブが形成された記録型や書き換え型の光ディスクにも適用できる。更に、情報記録層を二層以上の三層や四層・・と多層化した場合も、その内の１つの層にのみＢＣＡ１０１を形成し、残りの層はミラー面とすることで、本発明の効果を実現することができる。
【００４３】
このように多層化した場合であっても、入射面から最も遠い情報記録層が透過の無い反射層となることは二層の場合と同じである。従って、この最も遠い情報記録層へＢＣＡ１０１を形成するようにすると、製造上は有効である。
【００４４】
図３に、本発明にかかる光ディスク装置の一例を示す。この図３において、光ディスク装置は、前述した光ディスク媒体１を装備して当該光ディスク媒体１から所定のデータを読み出す光ヘッド５１と、この光ヘッド５１の動作を制御する主制御部５３とを備え、前述した光ヘッド５１からの情報を再生し出力するように構成されている。又前述した主制御部５３は、光ディスク媒体１のバーストカットエリア１０１の半径領域Ｒにフォーカス投入を行った場合に作動しフォーカス投入後の情報記録層がミラー面１０５であることを検出するミラー面検出機能と、その検出結果がミラー面１０５でない場合に作動し他の情報記録層への層間ジャンプ動作を付勢する層間ジャンプ制御機能とを備えて構成されている。
【００４５】
ここで、この光ディスク装置については以下の如く具体化してもよい。即ち、本実施形態にかかる光ディスク装置は、前述した光ディスク媒体１を装備して当該光ディスク媒体１から所定のデータを読み出す光ヘッド５１と、この光ヘッド５１から出力されるデータを再生し出力するデータ再生回路５２と、このデータ再生回路５２を駆動制御する主制御部５３とを備えている。光ヘッド５１には、当該光ヘッド５１の集光スポットを光ディスク媒体１の各情報記録層１１，１２のいずれかから他の情報記録層１２，１１にジャンプ移動させる層間ジャンプ駆動回路５５が併設されている。符号５６は光ヘッド５１を回転駆動するスピドルを示し、符号６０は再生されたデータを前述した主制御部５３に制御されて出力する情報出力部を示す。
【００４６】
前述した主制御部５３は、データ再生回路５２に入力される反射光データに基づいて作動し光ヘッド５１がバーストカットエリア（ＢＣＡ）１０１を備えた情報記録層を選択しているか否かを判定する記録層判定機能を備えている。又この主制御部５３は、上述した記録層判定機能による否判定に基づいて作動し層間ジャンプ駆動回路５５を介して光ヘッド５１を一方の情報記録層１１（１２）から他の情報記録層１２（１１）へジャンプさせる層間ジャンプ制御機能を備えている。ここで、主制御部５３の記録層判定機能については、具体的には、光ヘッド５１が外部指令に応じてバーストカットエリア（ＢＣＡ）１０１の半径領域Ｒ（図１参照）にフォーカス投入を行った場合に作動し当該光ヘッド５１による検出データがミラー面５からの反射データか否かを判定するミラー面検出機能としてもよい。
【００４７】
このような構成において、スピンドル５６に多層の情報記録層を持つ光ディスク１がセットされると、光ヘッド５１によって情報の記録または再生が行われる。バーストカットエリア（ＢＣＡ）１０１の情報を再生する場合は、情報記録層１０へのフォーカス投入後、データ再生回路５２で反射光の信号を取り込み、主制御部５３で正しくＢＣＡ１０１の有る情報記録層１２を光ヘッド５１の集光スポットｅが走査しているか判別する。そして、ミラー面５と判定された場合は、直ちに層間ジャンプ駆動回路５５が作動し、光ヘッド５１を別の情報記録層へジャンプしてＢＣＡ１０１の再生を試みる。
【００４８】
このようにして、図３に示す上記光ディスク装置にあっては、ミラー面５からの反射情報を使った信号判定により、より容易なＢＣＡ１０１の再生動作を光ディスク装置において実現することが出来る。
【００４９】
以上のように、本実施形態では、同一光入射面１Ａからアクセスする情報記録層２０を二層以上有する光ディスク媒体１において、光ディスク装置で情報再生する情報記録領域の最内周端近傍に設定された所定の半径範囲を有する領域にバーストカットエリア（ＢＣＡ）を設けるに際し、１つの情報記録層１２にのみバーストカットエリア（ＢＣＡ）１０１が有り、残りの情報記録層はミラー面となっていることを特徴とする。又、この光ディスク媒体１では、光入射面から最も遠い情報記録層１２にバーストカットエリア（ＢＣＡ）１０１を設けたことを特徴とする。更に、本発明にかかる光ディスク媒体１は、バーストカットエリア（ＢＣＡ）１０１の外周端の外側の所定の半径範囲において全ての情報記録層１１，１２でミラー面５を設定したことを特徴としている。
【００５０】
このため、これによると、トラックサーボに依存することなく位置の特定を迅速に且つ高精度に実行することができ、更に、ミラー面５の領域ではここを透過し又は一部反射する集光ビームには何らの変動が発生しないため、残りの（他の）情報記録層１１の干渉を受けることが無くなり、これがため、バーストカットエリア（ＢＣＡ）１０１の信号を常に安定した状態で再生することができる。
【００５１】
又、前述したバーストカットエリア（ＢＣＡ）１０１は、その外周側にある情報記録領域に対して所定の間隔を隔てて設定したので、情報記録領域の干渉を受けることが少なくなり、特に、複数層を備えたディスク媒体では各層の偏心があっても、その影響を回避することが可能であり、その分、バーストカットエリア（ＢＣＡ）１０１の信号を安定した状態で再生することができる。このバーストカットエリア（ＢＣＡ）１０１については、前述した複数の情報記録層１１，１２の内の前述した同一光入射面１Ａから最も遠い情報記録層１２に設けたので、ＢＣＡを構成する低反射率の線分の加工設定が容易となり、前述した場合と同様に安定した状態でＢＣＡ信号の再生が可能となる。
【００５２】
ここで、前述したバーストカットエリア（ＢＣＡ）の構成要素である複数の低反射率の線分１０１ａの長さは、トラックの偏心量を許容し得る長さに設定したので、例えばバーストカットエリア（ＢＣＡ）１０１が偏心して付されても、トラックサーボに依存することなく安定した状態でＢＣＡ信号の再生が可能となり、ひいてはディスク媒体の信頼性も高めることができる。更に、上述した実施形態にあっては、複数の情報記録層における層間距離が３０〔μｍ〕以下であっても、これに有効に対応してバーストカットエリア（ＢＣＡ）１０１の有効に検出し得ることを可能とした。
【００５３】
更に、上述した光ディスク装置では、情報記録層を二層以上有する光ディスク媒体を再生する光ディスク装置において、光ディスク媒体のバーストカットエリアの半径領域にフォーカス投入を行った時に、投入後の情報記録層がミラー面であることを検出する機能と、前記検出結果を用いて、所定の情報記録層に層間ジャンプ動作を行う機能を有することを特徴とする。このため、ミラー面５からの反射情報によって判定信号を確実に得ることができ、これを利用してバーストカットエリア（ＢＣＡ）１０１の再生動作を円滑に且つ確実に実行することが可能となる。
【図面の簡単な説明】
【００５４】
【図１】本発明の一実施形態を示す光ディスク媒体の説明図で、図１（Ａ）は光ディスク媒体の概略平面図、図１（Ｂ）は図１（Ａ）内に開示したバーストカットエリア（ＢＣＡ）の構成例を示す説明図である。
【図２】図１（Ａ）に示す光ディスク媒体に付された複数の情報記録層とＢＣＡとの関係を示す概略部分断面図である。
【図３】本発明に係る光ディスク装置の一例を示す概略構成図である。
【図４】従来例における光ディスク媒体の隣接層間隔とクロストークとの関係を示す線図である。
【図５】従来例を示す図で、図５（Ａ）はバーストカットエリア（ＢＣＡ）を示す説明図、図５（Ｂ）は図５（Ａ）のＢＣＡを装備した光ディスク媒体の例を示す概略部分断面図である。
【図６】従来例の問題点の例を示す説明図である。
【符号の説明】
【００５５】
１  光ディスク媒体
１Ａ  光入射面
２  記録トラック
５  ミラー面
６  ピット記録面
１０  情報記録層
１１  第０情報記録層
１２  第１情報記録層
２０  情報記録領域
５１  光ヘッド
５２  データ再生回路
５３  主制御部
５５  層間ジャンプ駆動回路
５６  スピンドル
１０１  バーストカットエリア（ＢＣＡ）
１０１ａ  低反射率部分
【図１】
2006338718.tif 000003
【図２】
2006338718.tif 000004
【図３】
2006338718.tif 000005
【図４】
2006338718.tif 000006
【図５】
2006338718.tif 000007
【図６】
2006338718.tif 000008